(57)【要約】  【課題】展示スペースの少なくとも前面に互いに幅方向に隣接させて配した複数枚の透明板を有する展示ケースにおいて、すべての透明板を略方向に移動可能とするとともに、透明板の移動幅の制限をより小さくする。  【解決手段】展示スペースＳの少なくとも前面に互いに幅方向に隣接させて配した複数枚の透明板１ａ、１ｂと、いずれかの透明板１ａを幅方向に移動可能に支持する第１の支持体２と、前記第１の支持体２から高さ方向に離間した位置で第１の支持体２に支持されていない透明板１ｂを幅方向に移動可能に支持する第２の支持体３と、前記第１及び第２の支持体２、３に支持させた透明板１ａ、１ｂが面一である使用位置Ｕと前記第１の支持体２に支持させた透明板１ａ及び前記第２の支持体３に支持させた透明板１ｂが厚み方向に離間する可動位置Ｏとの間でこれら第１及び第２の支持体２、３を相対移動させる駆動部４とを具備し、前記第１の支持体２を前記第２の支持体３に支持させた透明板１ａが存在する幅方向位置まで延伸させていることを特徴とする展示ケース。  【選択図】図４
2008011924.tif 000002
【特許請求の範囲】
【請求項１】
展示スペースの少なくとも前面に互いに幅方向に隣接させて配した複数枚の透明板と、前記複数枚の透明板のいずれかを幅方向に移動可能に支持する第１の支持体と、前記第１の支持体から高さ方向に離間した位置で第１の支持体に支持されていない透明板を幅方向に移動可能に支持する第２の支持体と、前記第１及び第２の支持体に支持させた透明板が面一である使用位置と前記第１の支持体に支持させた透明板及び前記第２の支持体に支持させた透明板が厚み方向に離間する可動位置との間でこれら第１及び第２の支持体を相対移動させる駆動部とを具備し、前記第１の支持体を前記第２の支持体に支持させた透明板が存在する幅方向位置まで延伸させていることを特徴とする展示ケース。
【請求項２】
３枚以上配した透明板のうち両端に位置する透明板を第１の支持体、両端に位置する透明板に隣接する透明板を第２の支持体にそれぞれ支持させているとともに、前記両端に位置する透明板を少なくとも該透明板の幅寸法だけ移動可能に前記第１の支持体を構成していることを特徴とする請求項１記載の展示ケース。
【請求項３】
前記第１の支持体を展示スペースの幅寸法略全域にわたって設けているとともに、３枚以上配した透明板のうち両端に位置する透明板を第１の支持体に支持させていることを特徴とする請求項１又は２記載の展示ケース。
【請求項４】
前記使用位置において前記透明板の後面をシール部材に密着させるようにしているものであって、前記透明板と前記シール部材との密着状態を解除し、また前記密着状態を回復させるためのシール部材接離手段を具備することを特徴とする請求項１、２又は３記載の展示ケース。
【請求項５】
前記シール部材接離手段が、前記第１又は第２の支持体の一方を使用位置から前方に移動させることにより前記透明板と前記シール部材との密着状態を解除することを特徴とする請求項１、２、３又は４記載の展示ケース。
【請求項６】
前記第１の支持体を透明板直上に配し該第１の支持体により透明板を吊持するとともに、前記第２の支持体を透明板の後方に配し該第２の支持体により透明板を後方から支持するようにしていることを特徴とする請求項１、２、３、４又は５記載の展示ケース。
【請求項７】
前記複数の透明板の上端部、前記第１の支持体、及び前記第２の支持体の前方に不透明な板状のパネルを配していることを特徴とする請求項６記載の展示ケース。
【発明の詳細な説明】
【技術分野】
【０００１】
本発明は、複数の透明板により区画される展示スペースの幅方向全域を外方に向けて開放可能な透明板の支持機構を有する展示ケースに関する。
【背景技術】
【０００２】
従来、美術館や博物館に設置されている展示ケースを開閉する目的で、面一に配置された複数の透明板のうち、所定の透明板を支持しているフレーム毎を前方に迫り出させた開閉可能状態とし、当該開閉可能状態においてフレームに対して透明板を面方向にスライド移動させることによって、展示ケースに開口を設けるといった展示ケースの開閉構造が提案されている。
【０００３】
その一例として、幅方向に移動不能な透明板と、このような透明板の前方に設けた固定レールとを備えるとともに、このような透明板に隣接させて可動レールに支持させた透明板を配し、可動レールの少なくとも固定レール側の端部を移動させることにより固定レールと連続させ、可動レールに支持させた透明板を固定レールに乗り換えさせて幅方向に移動可能にしているものが考えられている。
【０００４】
また、他の一例として、複数の透明板を支持体により幅方向に移動可能に支持させているものであって、前記支持体の一端部において該支持体の回転動作を許容して支持する回動支持機構と、他端部において該支持体を前後動作可能に支持する進退支持機構と、前記支持体の他端部を前後動作させる駆動機構とを具備するものも考えられている（例えば、特許文献１、２参照）。
【特許文献１】特許登録第３７０７６８７号公報
【特許文献２】特願２００５―３３２１２５明細書
【発明の開示】
【発明が解決しようとする課題】
【０００５】
しかして、前記特許文献１記載の構成では、幅方向に移動不能な透明板を設ける必要があるので、展示スペースのうちこのような透明板の後方の部位は外部に連通させることができず、このような部位に展示した物品の入れ替え等の作業が困難である不具合が存在する。
【０００６】
一方、前記特許文献２記載の構成では、すべての透明板を支持する支持体に対して、前記支持体の一端部において該支持体の回転動作を許容して支持する回動支持機構と、他端部において該支持体を前後動作可能に支持する進退支持機構と、前記支持体の他端部を前後動作させる駆動機構とを設けるようにすればすべての透明板を移動可能にできる。ところが、このような構成では、個々の透明板をそれぞれ前記支持体に支持させているので、支持体の幅寸法は透明板の幅寸法を超えることができず、従って透明板の幅寸法の２分の１を越えて移動させることができないという新たな不具合が存在する。
【０００７】
本発明は、このような不具合に着目したものであり、すべての透明板を移動可能とするとともに、移動幅の制限をより小さくすることができる展示ケースを提供する。
【課題を解決するための手段】
【０００８】
すなわち本発明に係る展示ケースは、展示スペースの少なくとも前面に互いに幅方向に隣接させて配した複数枚の透明板と、前記複数枚の透明板のいずれかを幅方向に移動可能に支持する第１の支持体と、前記第１の支持体から高さ方向に離間した位置で第１の支持体に支持されていない透明板を幅方向に移動可能に支持する第２の支持体と、前記第１及び第２の支持体に支持させた透明板が面一である使用位置と前記第１の支持体に支持させた透明板及び前記第２の支持体に支持させた透明板が厚み方向に離間する可動位置との間でこれら第１及び第２の支持体を相対移動させる駆動部とを具備し、前記第１の支持体を前記第２の支持体に支持させた透明板が存在する幅方向位置まで延伸させていることを特徴とする。
【０００９】
このようなものであれば、前記駆動部により第１及び第２の支持体を相対移動させると、第１の支持体に支持させた透明板と第２の支持体に支持させた透明板とは厚み方向に離間し、これら第１及び第２の支持体は透明板を幅方向に移動可能に支持しているので、透明板を幅方向に移動させることにより、展示スペースのうち該透明板後方の領域を外部に連通させることができる。その上で、前記第１の支持体と第２の支持体とを高さ方向に離間させ、前記第１の支持体を前記第２の支持体に支持させた透明板が存在する幅方向位置まで延伸させているので、前記第１及び第２の支持体を互いに干渉することなく透明板の厚み方向に移動させることができるようにしつつ、前記第１の支持体の幅寸法を該支持体に支持させる透明板の幅寸法よりも大きくして、該支持体に支持させる透明板の幅寸法の２分の１を越えて移動させる構成を実現できる。
【００１０】
特に、展示スペースの幅方向全域を外方に連通できるようにするための構成として、３枚以上配した透明板のうち両端に位置する透明板を第１の支持体、両端に位置する透明板に隣接する透明板を第２の支持体にそれぞれ支持させているとともに、前記両端に位置する透明板を少なくとも該透明板の幅寸法だけ移動可能に前記第１の支持体を構成しているものが挙げられる。このようなものであれば、両端に位置する透明板を、該透明板の幅寸法だけ移動させ、展示スペースの該透明板後方の領域全体を外方に連通でき、他の透明板も前記第１又は第２の支持体に支持させているので幅方向両側に該透明板の幅寸法の２分の１以上移動させることができるからである。
【００１１】
また、展示スペースの幅方向全域を外方に連通できるようにするための他の構成として、前記第１の支持体を展示スペースの幅寸法略全域にわたって設けているとともに、３枚以上配した透明板のうち両端に位置する透明板を第１の支持体に支持させているものが挙げられる。このようなものであれば、両端に位置する透明板を、該透明板の幅寸法だけ移動させ、展示スペースの該透明板後方の領域全体を外方に連通でき、また、少なくとも１枚の透明板を前記第２の支持体に支持させているので、第１の支持体に支持させたすべての透明板を該透明板の幅寸法だけ移動させて該透明板後方の領域全体を外方に連通でき、そして、第２の支持体に支持させた透明板も幅方向両側に該透明板の幅寸法の２分の１以上移動させることができるからである。
【００１２】
前記使用位置において前記透明板の後面をシール部材に密着させるようにしているものにおいて、前記駆動部により第１及び第２の支持体を可動位置まで相対移動させた際にすべての透明板の幅方向への移動を容易に行えるようにするための構成として、前記透明板と前記シール部材との密着状態を解除し、また前記密着状態を回復させるためのシール部材接離手段を具備するものが挙げられる。このシール部材接離手段により前記透明板と前記シール部材との密着状態を解除すれば透明板の幅方向への移動の際に透明板とシール部材とが干渉しないようにできるからである。
【００１３】
特に、前記シール部材接離手段が、前記第１又は第２の支持体の一方を使用位置から前方に移動させることにより前記透明板と前記シール部材との密着状態を解除するものであれば、シール部材の後方にシール部材を透明板と離間させるための作動スペースを設ける必要がなくなり、このシール部材の後方にさらに他の部材を設けることができるので、設計の自由度を高めることができる。
【００１４】
さらに、第１及び第２の支持体を高さ方向に離間させる構成を無理なく実現できる態様として、前記第１の支持体を透明板直上に配し該第１の支持体により透明板を吊持するとともに、前記第２の支持体を透明板の展示スペース側に配し該第２の支持体により透明板を後方から支持するようにしているものも挙げられる。このような構成であれば、第１及び第２の支持体を透明板の厚み方向に十分離間させ、これら第１及び第２の支持体が干渉しないようにできるからである。
【００１５】
そして、前段で述べた構成において、さらに前記複数の透明板の上端部、前記第１の支持体、及び前記第２の支持体の外方に不透明な板状のパネルを配しているものであれば、第１及び第２のフレームを展示スペース外から隠蔽でき、見栄えを整えることができる。
【発明の効果】
【００１６】
本発明に係る展示ケースの構成によれば、前記第１の支持体と第２の支持体とを高さ方向に離間させ、前記第１の支持体を前記第２の支持体に支持させた透明板が存在する幅方向位置まで延伸させているので、前記第１及び第２の支持体を互いに干渉することなく駆動部により透明板の厚み方向に前記第１の支持体に支持させた透明板及び前記第２の支持体に支持させた透明板が厚み方向に離間する可動位置まで移動させることができるようにしつつ、前記第１の支持体の幅寸法を該支持体に支持させる透明板の幅寸法よりも大きくして、該支持体に支持させる透明板の幅寸法の２分の１を越えて移動させる構成を実現できる。
【発明を実施するための最良の形態】
【００１７】
以下、本発明の第一実施形態を、図面を参照して説明する。
【００１８】
本実施形態に係る展示ケースＣ１、Ｃ２、及びＣ３は、平面図を図１に示すような展示室の外周部に設けられ、展示ケースＣ１について図２〜図８に示すように、展示スペースＳと、前記展示スペースＳを外部空間から区成させるべく、少なくとも展示室Ｒ中央側の端面を被覆するように幅方向に隣接させて複数枚、ここでは３枚設けた透明板１と、前記３枚の透明板１のうち両端に位置する透明板１を面方向に沿ってスライド移動可能に吊下支持する第１の支持体２と、他の１枚の透明板１を面方向に沿ってスライド移動可能に後方から支持する第２の支持体３と、前記第１の支持体２に支持させた透明板１が他の透明板１と面一な使用位置Ｕ及びこの収納位置から第１の所定距離だけ前方に変位した可動位置Ｏの間で前後移動させるべく前記第１の支持体２を駆動する駆動部４と、前記第２の支持体３に支持させた透明板１と前記透明板１の後面に密着可能なシール部材８１とを接離させるべく前記第２の支持体３を駆動するシール部材接離手段５と、前記透明板１とともに前記展示スペースＳを外部空間から区画する構造体であり、前端部に前記シール部材８１を配した展示ケース本体８とを有する。なお、図２に正面図、図３に図２におけるｘ−ｘ断面図、図４に図３における上部を拡大して示した図、図５に図２におけるｚ−ｚ断面の上部を拡大して示した概略図、図６に図３における下部を拡大して示した図、図７に図２におけるｙ−ｙ断面の右端部を拡大して示した図、図８に図７に図２におけるｙ−ｙ断面の幅方向中央部を拡大して示した図をそれぞれ示す。以下、展示ケースＣ１の各部について具体的に説明する。
【００１９】
透明板１は、例えば同一の形状をなす２枚のガラスを重合させ貼り合わせて形成した透明板本体１０を主体とし、このガラス板１０の上下端、すなわち透明板１の上端縁及び下端縁に、枠体１１をそれぞれ取り付けている。枠体１１は、例えばアルミの押出しにより形成している。さらに、この透明板１の後面の下端部に密着させて展示スペース内Ｓの機密性を確保すべく、展示ケース本体８の前面の下縁部に前記シール部材８１を設けている。ここで、展示ケースＣ１は３枚の透明板１を備えるが、以下の記載及び図１〜図８において、左右両側に位置する透明板１及びその各部位には符号の後に添え字ａ、幅方向中央に位置する透明板１及びその各部位には符号の後に添え字ｂをそれぞれ付す。また、前記図４及び図５においては、左右両側に位置する透明板１ａの下部を破断して示している。なお、本実施形態の透明板本体１０は上述したように２枚のガラスを重合させ貼り合わせて形成しているが、１枚のガラスにより形成したガラス板を用いてもよく、さらにアクリル板等他の材質により形成した透明板を用いてもよい。
【００２０】
第１の支持体２は、前記図４に示すように、透明板本体１０ａの上方、具体的には枠体１１の直上に設けられ後方に向け開口する透明板支持フレーム２１と、この透明板支持フレーム２１の開口内に設けられる転動体２２と、この転動体２２の後方に設けられこの展示ケースＣの幅寸法略全域にわたって延伸する主フレーム２３と、この主フレーム２３のさらに後方に設けられ後述する駆動ギア４３と係合することによりこれら透明板支持フレーム２１、転動体２２、及び主フレーム２３を前後方向に移動可能に支持するラック２４とを具備する。
【００２１】
駆動部４は、前記図４、図５、及び図７に示すように、駆動源であるモータ４１と、このモータ４１に接続してなる出力軸４２と、この出力軸４２の両端に接続しているとともに前記第１の支持体２のラック２４に噛み合わせてなる駆動ギア４３とを具備する。ここで、前記駆動ギア４３の幅方向位置は、前記使用位置Ｕにおける前記第１の支持体２に支持させた透明板１ａの両側端に略一致させている。そして、この駆動部４は、第１の支持体２、及びこの第１の支持体に支持させた透明板１ａを、図４の実線に示す使用位置Ｕと、図４の想像線に示す可動位置Ｏとの間で移動させるための駆動源として機能する。
【００２２】
第２の支持体３は、透明板本体１０の上下両側の枠体１１の後面に設けられ後方に向け開口する透明板支持フレーム３１と、この透明板支持フレーム３１の開口内に設けられる転動体３２と、この転動体３２の後方に設けられ透明板１の幅寸法と略同一の長手寸法を有する主フレーム３３と、この主フレーム３３のさらに後方に設けられ後述するシール接離ギア５３と係合することによりこれら透明板支持フレーム３１、転動体３２、及び主フレーム３３を前後方向に移動可能に支持するラック３４とを具備する。また、前記転動体３２、主フレーム３３、及びラック３４は、上下両側の前記フレーム３１と略同じ高さ位置にそれぞれ設けている。
【００２３】
シール部材接離手段５は、駆動源であるモータ５１と、このモータ５１に接続してなる出力軸５２と、この出力軸５２の両端に接続しているとともに前記第２の支持体のラック３３に噛み合わせてなるシール接離ギア５３とを具備する。ここで、前記シール接離ギア５３の幅方向位置は、前記使用位置Ｕにおける前記第２の支持体３に支持させた透明板１の両側端に略一致させている。また、このシール部材接離手段５は、上下両側の前記第２の支持体３のラック３３に前記シール接離ギア５３を噛合させた状態で上下両側にそれぞれ設けている。そして、このシール部材接離手段５は、第２の支持体３、及びこの第２の支持体３に支持させた透明板１ｂを、図４の実線に示す使用位置Ｕと、図４の想像線に示す可動位置Ｏとの間で移動させ、該透明板１ｂとシール部材８１との間の密着を解除又は復活させるための駆動源として機能する。
【００２４】
加えて、本実施形態では、透明板１の上端部の前方に不透明な上パネル板６を配している。この上パネル板６は、前記透明板１に対向する閉止位置と、下端部が前記透明板１から前方に離間する退避位置との間で移動可能に上端部を支持されるようにしている。加えて、この上パネル板６は、その内面の下端部に光漏れ止め部６１を有し、前記閉止位置にある際には、この光漏れ止め部材６１によりこの上パネル板６と透明板１との間の隙間を埋めるようにしている。そして、この上パネル板６により、前記第１、第２の支持体２、３、前記駆動部４、及び前記シール部材接離部５を外部空間から隠蔽するようにしている。なお、本実施形態では、前記駆動部４に上パネル板６と当接する上パネル退避手段６２を接続していて、前記駆動部４により第１の支持体２を前記可動位置まで移動させる際にこの上パネル板６がつれて前記退避位置まで移動するようにしている。
【００２５】
さらに、本実施形態では、透明板１の下端部の前方に不透明な下パネル板７を配していて、この下パネル板７により、前記第２の支持体３、及び前記シール部材接離部５を外部空間から隠蔽するようにしている。なお、図２においては、前記上パネル板６及び下パネル板７は想像線により示している。また、同図においては、透明板１ａ、１ｂの直後にある部材については構成をわかりやすくするために実線により示している。
【００２６】
ここで、展示スペースＳを前方に連通させる際の各部の動作及びその手順について述べる。
【００２７】
まず、前記駆動部４を作動させて、第１の支持体２、及びこの第１の支持体２に支持させた透明板１を可動位置Ｏまで前方に第１の所定距離だけ移動させる。さらに、前記シール部材接離手段５を作動させて、第２の支持体３、及びこの第２の支持体３に支持させた透明板１を可動位置Ｏまで、前方に第２の所定距離だけ移動させ、前記透明板１と前記シール部材８１とを離間させる。ここで、前記図４に示すように前記第２の所定距離は前記第１の所定距離よりも短いので、第１の支持体２に支持させた透明板１と第２の支持体３に支持させた透明板１との厚さ方向位置はそれぞれ異なる。加えて、前記第１の支持体２のフレーム２１は展示スペースＳの幅寸法略全域にわたって設けられているので、第１の支持体２に支持させた２枚の透明板１ａ、１ａは、使用位置Ｕにおいて前記第２の支持体３に支持させた透明板１ｂがあった箇所まで移動させることができる。その一方で、第２の支持体３に支持させた透明板１ｂも、幅方向両側に、第２の支持体３の転動輪３２がフレーム３１から外れる位置まで移動可能となる。ここで、前記転動輪３２は、閉止位置Ｏにおいて該透明板１ｂの両側縁近傍に設けているので、この透明板１ｂは、少なくともその幅寸法の２分の１両側に移動可能である。
【００２８】
このようにして、本実施形態に係る展示ケースＣは、第１の支持体２を展示スペースＳの幅寸法略全域にわたって延伸させているとともに、この第１の支持体２と第２の支持体３とを高さ方向に離間させているので、これら第１及び第２の支持体２、３が干渉することなく第１の支持体２に支持させた透明板１ａ、１ａと第２の支持体に支持させた透明板１ｂとが厚み方向に離間する可動位置Ｕに移動させることができる。そして、このような透明板１ａ、１ａは、その幅寸法分だけ側方に移動させることができる。従って、この実施形態では、展示スペースＳのうち閉止位置Ｓにおいて第１の支持体２に支持させた透明板１ａ、１ａのうち何れか一方の後方に位置する部位の全体を、外方に連通させることができる。
【００２９】
また、シール部材接離部５を作動させて第２の支持体３に支持させた透明板１ｂを前方に移動させることができるので、この第２の支持体３に支持させた透明板１も、シール部材８１と干渉することなく左右にそれぞれこの透明板１ｂの幅寸法の２分の１だけ移動させることができる。しかも、第１の支持体２の移動距離である前記第１の所定距離よりも、この第２の支持体３の移動距離である第２の所定距離を小さくしているので、これら第１及び第２の支持体２、３を同時に前方に移動させ、所望の透明板１ａ、１ｂを順次側方に移動させ、展示スペースＳを、例えば左端から右端まで順次前方に連通させることもできる。
【００３０】
加えて、前記第１の支持体２のフレーム２１を透明板１ａの直上に配し、この第１の支持体２により透明板１ａを吊持するようにしているので、簡単な構成により透明板１ａを可動位置Ｏまで移動させた際に透明板１ａが鉛直な状態を維持できる。
【００３１】
また、前記展示ケースＣ２、Ｃ３は、２枚の透明板１ａ、１ｂを１枚ずつ上述したものと同様の構成を有する第２の支持体２及び第３の支持体３にそれぞれ支持させていて、これら第２の支持体２及び第３の支持体３をそれぞれ上述したものと同様の構成を有する駆動部４及びシール部材接離手段５に接続しているので、展示ケースＣ２の展示スペースＳのうち、第２の支持体３に支持させた透明板１ｂの透明板１ａ側半分の部位後方を外方に連通不可能である以外、上述した展示ケースＣ１に係るものと同様の効果を得ることができる。
【００３２】
なお、本発明は以上に述べた実施形態に限られない。
【００３３】
例えば、図２に示す透明板１ａ、１ｂ間にもう１枚透明板を追加し、透明板を４枚とした上で、追加した透明板を第２の支持体に支持させる態様が考えられる。この場合、第１、第２の支持体を上述した実施態様と同様に構成すれば、例えば左端の透明板をこの展示スペースＳの幅方向中央を越えて右側に移動させ、その一方で中央の透明板２枚を透明板１枚の幅寸法の半分だけ右側に移動させれば、透明板１枚半分の幅寸法を有する空間を同時に外方に連通させることができる。
【００３４】
また、シール部材接離手段は、透明板を前方に移動させる態様のものだけでなく、逆にシール部材を後方に移動させる態様のものであってもよい。
【００３５】
さらに、駆動部は、上述した実施形態のように第１の支持体を移動させるものでなく、逆に第２の支持体を移動させるものであってもよく、さらに第１及び第２の支持体を同時に相反する方向に移動させるものであってもよい。
【００３６】
その他、本発明の趣旨を逸脱しない範囲で種々変形が可能である。
【図面の簡単な説明】
【００３７】
【図１】本発明の一実施形態に係る展示ケースを配した展示室の平面図。
【図２】同実施形態に係る展示ケースを示す正面図。
【図３】図２におけるｘ−ｘ断面図。
【図４】図３における上部を拡大して示した図。
【図５】図２におけるｚ−ｚ断面の上部を拡大して示した概略図。
【図６】図２におけるｘ−ｘ断面の下部を拡大して示した図。
【図７】図２におけるｙ−ｙ断面の右端部を拡大して示した図。
【図８】図２におけるｙ−ｙ断面の幅方向中央部を拡大して示した図。
【符号の説明】
【００３８】
Ｃ１、Ｃ２、Ｃ３…展示ケース
１ａ、１ｂ…透明板
２…第１の支持体
３…第２の支持体
４…駆動部
５…シール部材接離部
６…上パネル板
８１…シール部材
【図１】
2008011924.tif 000003
【図２】
2008011924.tif 000004
【図３】
2008011924.tif 000005
【図４】
2008011924.tif 000006
【図５】
2008011924.tif 000007
【図６】
2008011924.tif 000008
【図７】
2008011924.tif 000009
【図８】
2008011924.tif 000010